(57)【要約】【課題】携帯電話機の周囲の環境を推測し、着信音を鳴らすべきではないと想定される場合にはより確実に着信音を出力しないようにする。【解決手段】携帯電話機１０は、着信時に着信音を出力する着信音出力手段１と、着信検出回路および無線回路を含む無線通信手段２とを備え、周囲音を入力して周囲音に応じた信号を出力する音入力手段３と、音入力手段３が出力する信号にもとづく周囲音量レベルと所定の閾値とを比較する比較手段４と、周囲音量レベルが所定時間継続して閾値以下であると比較手段４が判定した場合に、着信音出力手段１からの着信音の出力を禁止する状態にする着信音制御手段５とを備えている。【選択図】図６
2010200128.tif 000002
【特許請求の範囲】
【請求項１】
着信時に着信音を出力する着信音出力手段と、着信検出回路および無線回路を含む無線通信手段とを備えた携帯電話機であって、
周囲音を入力して周囲音に応じた信号を出力する音入力手段と、
前記音入力手段が出力する信号にもとづく周囲音量レベルと所定の閾値とを比較する比較手段と、
前記周囲音量レベルが所定時間継続して前記閾値以下であると前記比較手段が判定した場合に、前記着信音出力手段からの着信音の出力を禁止する状態にする着信音制御手段と
を備えたことを特徴とする携帯電話機。
【請求項２】
着信音制御手段は、無線通信手段に対して電力が供給されない状態にすることによって着信音出力手段からの着信音の出力を禁止する状態にし、前記無線通信手段に対して電力が供給される状態にすることによって前記着信音出力手段からの着信音の出力を許可する状態にする
請求項１記載の携帯電話機。
【請求項３】
比較手段は、
間欠的に周囲音量レベルと所定の閾値とを比較し、
着信音制御手段は、前記周囲音量レベルが所定回継続して前記閾値以下である場合に、前記周囲音量レベルが所定時間継続して前記閾値以下であるとみなす
請求項１または請求項２記載の携帯電話機。
【請求項４】
着信音制御手段は、
周囲音量レベルが所定時間継続して第一閾値以下であると比較手段が判定した場合に、前記着信音出力手段からの着信音の出力を禁止する状態にし、
前記着信音出力手段からの着信音の出力が禁止されている状態で、前記周囲音量レベルが前記第一閾値よりも大きい値である第二閾値を越えている期間が所定時間継続したと判定した場合に、前記着信音出力手段からの着信音の出力を許可する状態にする
請求項１から請求項３のうちのいずれか１項に記載の携帯電話機。
【請求項５】
着信音出力手段からの着信音の出力を禁止する状態から前記着信音出力手段からの着信音の出力を許可する状態に変化したときに、電話および電子メールの着信履歴があったか否かを留守番電話センタに問い合わせる問い合わせ信号を無線通信手段に送信させる問い合わせ制御手段を備えた
請求項１から請求項４のうちのいずれか１項に記載の携帯電話機。
【請求項６】
着信時に着信音を出力する着信音出力手段と、着信検出回路および無線回路を含む無線通信手段とを備えた携帯電話機における着信音制御方法であって、
周囲音を入力して周囲音に応じた信号を出力する音入力手段が出力した信号にもとづく周囲音量レベルと所定の閾値とを比較し、
比較の結果、前記周囲音量レベルが所定時間継続して前記閾値以下であると判定した場合に、前記着信音出力手段からの着信音の出力を禁止する状態にする
ことを特徴とする着信音制御方法。
【請求項７】
無線通信手段に対して電力が供給されない状態にすることによって着信音出力手段からの着信音の出力を禁止する状態にし、
前記無線通信手段に対して電力が供給される状態にすることによって前記着信音出力手段からの着信音の出力を許可する状態にする
請求項６記載の着信音制御方法。
【発明の詳細な説明】
【技術分野】
【０００１】
本発明は、着信時に着信音を出力する着信音出力手段と着信検出回路および無線回路を含む無線通信手段とを備えた携帯電話機および携帯電話機における着信音制御方法に関する。
【背景技術】
【０００２】
携帯電話機を使用する環境に応じて、携帯電話機が出力する音量の適切な設定を求められることがある。例えば、試験会場や講演会場といった周囲の音量が極めて小さい場所では、携帯電話機の電源をＯＦＦにすること、またはマナーモードに設定することを求められる。しかし、このような場所で電源オフ（ＯＦＦ）やマナーモードの設定を忘れていると、電話や電子メールの着信時に着信音が鳴り、周囲に迷惑をかけてしまう。また、例えば、目覚まし（アラーム）機能を設定して就寝する場合には、アラーム音を鳴らすためにマナーモードを解除していることが多い。しかし、就寝中に電話や電子メールの着信音が鳴って、目覚まし機能で設定した時間とは異なる時間に起こされてしまうことがある。このように、携帯電話機の鳴音機能は、使用環境によって設定を考慮される必要がある。
【０００３】
特許文献１には、電源断や留守番モード時の通信可否を選択設定できる携帯電話機が記載されている。特許文献１に記載された携帯電話機は、周囲の音量レベルまたは音声認識によって通信可否の切替を行う。例えば、ある所定時間内の音量の平均値が所定値よりも小さい場合には通信不可の状態にし、ある所定時間内の音量の平均値が所定値よりも大きい場合には通信可能の状態に戻す。
【先行技術文献】
【特許文献】
【０００４】
【特許文献１】特開２００２−１５８７６１号公報（段落００１３、段落００１８−００１９）
【発明の概要】
【発明が解決しようとする課題】
【０００５】
特許文献１に記載された携帯電話機では、所定時間内の音量の平均値にもとづいて通信可否の判断が行われるが、音量の平均値を用いると、所定期間内の短期間において音量レベルが大きくなるが所定時間における音量レベルの平均値が所定値よりも小さい場合には、通信可能な状態になる。音量レベルが大きくなる期間では通信不可の状態に設定すべきであるが、実際には通信不可の状態にならず、着信があると着信音が出力されてしまう。
【０００６】
そこで、本発明は、周囲の環境を推測し、着信音を鳴らすべきではないと想定される場合に、より確実に着信音を出力しないようにすることができる携帯電話機および着信音制御方法を提供することを目的とする。
【課題を解決するための手段】
【０００７】
本発明による携帯電話機は、着信時に着信音を出力する着信音出力手段と、着信検出回路および無線回路を含む無線通信手段とを備えた携帯電話機であって、周囲音を入力して周囲音に応じた信号を出力する音入力手段と、音入力手段が出力する信号にもとづく周囲音量レベルと所定の閾値とを比較する比較手段と、周囲音量レベルが所定時間継続して閾値以下であると比較手段が判定した場合に、着信音出力手段からの着信音の出力を禁止する状態にする着信音制御手段とを備えたことを特徴とする。
【０００８】
本発明による着信音制御方法は、着信時に着信音を出力する着信音出力手段と、着信検出回路および無線回路を含む無線通信手段とを備えた携帯電話機における着信音制御方法であって、周囲音を入力して周囲音に応じた信号を出力する音入力手段が出力した信号にもとづく周囲音量レベルと所定の閾値とを比較し、比較の結果、周囲音量レベルが所定時間継続して閾値以下であると判定した場合に、着信音出力手段からの着信音の出力を禁止する状態にすることを特徴とする。
【発明の効果】
【０００９】
本発明によれば、周囲の音量から周囲の環境を推測し、着信音を鳴らすべきではないと想定される場合に、より確実に着信音を出力しないようにすることができる。
【図面の簡単な説明】
【００１０】
【図１】本発明による携帯電話機の第１の実施形態の構成を示すブロック図である。
【図２】図１に示された携帯電話機の外観を示す正面図である。
【図３】図１に示された携帯電話機の処理を示すフローチャートである。
【図４】本発明による第２の実施形態の携帯電話機の処理を示すフローチャートである。
【図５】第２の実施形態の携帯電話機で用いられる設定閾値の一例を示す説明図である。
【図６】本発明による携帯電話機の主要部を示すブロック図である。
【発明を実施するための形態】
【００１１】
実施形態１．
図１は、本発明による携帯電話機の第１の実施形態（実施形態１）の構成を示すブロック図である。図２は、図１に示された携帯電話機の外観を示す正面図である。図１および図２を参照して、第１の実施形態の携帯電話機の構成を説明する。
【００１２】
携帯電話機１００は、マイクロフォン１１、レシーバ１２、制御部１３、スピーカ１４、キー操作部１５、メモリ部１６、ＬＥＤ部１７、表示部（ＬＣＤ）１８、アンテナ１９および無線部２０を備えている。
【００１３】
マイクロフォン１１は、マイクロフォン１１の周囲の音を感知する。マイクロフォン１１は感知した音の音量（周囲音量）を特定可能な信号を制御部１３に出力する。レシーバ１２は、通話時音声およびガイダンス音声等を出力する。制御部１３は、携帯電話機１００の各部を制御する。
【００１４】
スピーカ１４は、電話や電子メールの着信音、アラーム音および各種操作音等を出力する。キー操作部１５は、テンキーや機能キーを含み、ユーザによるキー入力操作に応じた入力信号を制御部１３に出力する。メモリ部１６は、制御に必要な情報等を格納する。ＬＥＤ部１７は、電話の着呼時、電子メールの着信時またはアラーム鳴動時等にＬＥＤを点灯または点滅させる。表示部１８は、ユーザが視認可能な情報を表示する。アンテナ１９は、基地局から発信される電波を受信し、受信信号を無線部２０に出力する。
【００１５】
制御部１３は、マイクロフォン１１から入力する周囲音量のレベルを基に無線部２０の電源をオン（ＯＮ）／ＯＦＦ制御する機能（周囲音量制御機能）を備えている。無線部２０の電源がＯＦＦになると、基地局からの無線電話を受信することができないので、携帯電話機１００は、電話の発着呼および電子メールの送受信を行うことができない。ユーザは、例えば、キー操作部１５からの入力操作によって、周囲音量制御機能を有効または無効に設定することができる。周囲音量制御機能が有効に設定されている場合には、制御部１３は、予めメモリ部１６に格納されている設定閾値とマイクロフォン１１から入力する信号で特定される周囲音量のレベルとを比較して、無線部２０に行う制御を決定する。無線部２０は、変復調回路や増幅回路を有する無線回路と、着信を検出する着信検出回路とを含む。
【００１６】
図３は、図１に示された携帯電話機の処理を示すフローチャートである。図３を参照して、図１に示された携帯電話機１００が実行する周囲音量制御を説明する。ただし、ステップＳ８およびステップＳ１３における処理は、着信履歴センタが行う処理である。
【００１７】
まず、制御部１３は、携帯電話機１００が待ち受け状態であるか否か確認する（ステップＳ１）。携帯電話機１００が待ち受け状態である場合には、制御部１３は、周囲音量制御機能が有効に設定されているか否か確認する（ステップＳ２）。周囲音量制御機能が無効に設定されている場合には、ステップＳ１に戻る。
【００１８】
ステップＳ２において、周囲音量制御機能が有効に設定されていることを確認した場合には、制御部１３は、マイクロフォン１１から信号を入力する（ステップＳ３）。なお、周囲音量の検知は、周囲音量制御機能が有効に設定されている場合に、マイクロフォン１１からの信号入力を開始する。すなわち、制御部１３は、ある期間にわたってマイクロフォン信号を入力する。
【００１９】
制御部１３は、入力された信号のレベルに基づいて演算処理を行う（ステップＳ４）。例えば、マイクロフォン１１から入力した信号のディジタル値に変換し、変換後の値を周囲音量のレベルとする。以下、マイクロフォン１１から入力される信号のレベルを周囲音量レベルとする。そして、制御部１３は、メモリ部１６に格納されている設定閾値と周囲音量レベルとを比較し、周囲音量レベルが所定時間継続して設定閾値以下であるか否かを確認する（ステップＳ５）。例えば、１０分の間、制御部１３に入力される周囲音量のレベルが継続して設定閾値以下であるか否か確認する。なお、ステップＳ５において、制御部１３は、間欠的に周囲音量レベルと設定閾値とを比較し、周囲音量レベルが所定回連続して設定閾値以下であるか否かを確認するようにしてもよい。例えば、１分毎にマイクロフォン１１から入力された周囲音量のレベルが１０回連続して設定閾値以下であるか否かを確認する。
【００２０】
ステップＳ５において、周囲音量レベルが所定時間継続して設定閾値以下であった場合には、制御部１３は、周囲音量が小さいと判定して無線部２０の電源をＯＦＦにする（ステップＳ６）。ステップＳ６の処理によって無線部２０に対して電力が供給されない状態になり、無線部２０に含まれる着信検出回路の動作が禁止された状態になる。その結果、着信があっても、着信音が出力されない状態になる。無線部２０の電源がＯＦＦであるときに携帯電話機１００に対する電話の着信または電子メールの着信があった場合には（ステップＳ７）、着信履歴センタに不在着信履歴として着信履歴が保存される（ステップＳ８）。着信履歴センタは、携帯電話事業者等が管理し、何らかの事情で携帯電話機１００が受信できなかった電話および電子メールの履歴情報を保存し、携帯電話機１００からの問い合わせ信号の送信に応えて、または着信履歴センタからの定期的な信号送信によって不在着信履歴を携帯電話機１００に提供する。
【００２１】
ステップＳ５において、周囲音量レベルが設定閾値以下である時間が所定時間に達しなかった場合には、制御部１３は、周囲音量が大きいと判定して無線部２０の電源をＯＮにする（ステップＳ９）。ステップＳ９の処理によって無線部２０に対して電力が供給される状態になり、無線部２０に含まれる着信検出回路の動作が許可された状態になる。その結果、着信があったときに、着信音が出力される状態になる。
【００２２】
携帯電話機１００が待ち受け状態であるときに（ステップＳ１０）、制御部１３は、無線部２０から着信履歴センタに不在着信履歴の問い合わせ信号を送信させる（ステップＳ１１）。ステップＳ１１において問い合わせを受けた着信履歴センタは、携帯電話機１００を受信者とする不在着信履歴の有無を確認し（ステップＳ１２）、不在着信履歴があった場合にはその旨を携帯電話機１００に通知する（ステップＳ１３）。制御部１３は、アンテナ１９および無線部２０を介して着信履歴センタからの不在着信履歴を受信すると、表示部１８に受信内容を表示して、ユーザに不在着信があったことを知らせる。その後、ステップＳ２の処理に戻る。なお、ステップＳ１１の処理によって、制御部１３は、着信音の出力を禁止する状態から着信音の出力を許可する状態に変化したときに、電話および電子メールの着信履歴があったか否かを留守番電話センタに問い合わせる問い合わせ信号を無線部２０に送信させることになる。
【００２３】
このような周囲音量制御機能を有効に設定された携帯電話機では、周囲音量レベルと設定閾値とに基づいて、周囲の音量が一定以下の静かな状況では電話および電子メールの通信が自動的に通信不可に設定されるので、着信音を出力しないことが好ましい環境にある携帯電話機が着信音を鳴らすことを抑止できる。
【００２４】
実施形態２．
本発明による携帯電話機の第２の実施形態（実施形態２）を説明する。本発明による第２の実施形態の携帯電話機の構成は、図１に示された第１の実施形態の携帯電話機１００の構成と同じである。
【００２５】
図４は、本発明による第２の実施形態の携帯電話機の処理を示すフローチャートである。図４を参照して、第２の実施形態の携帯電話機が実行する周囲音量制御を説明する。ただし、図４には図３に示された第１の実施形態における処理と異なる処理のみが示されている。
【００２６】
第２の実施形態では、周囲音量のレベルと設定閾値との比較演算の演算内容が、第１の実施形態での処理（図３に示すＳ５に相当）と異なる。携帯電話機が待ち受け状態であるときに、周囲音量制御機能が有効に設定されているか否かを確認し、マイクロフォン１１から信号を入力する処理は、図３に示すステップＳ１〜Ｓ３における処理と同じである。また、制御部１３が入力された周囲音量のレベルを基にして無線部２０の電源状態を判定した後に、無線部２０の電源をＯＦＦ／ＯＮする処理以降の処理は、図３に示すステップＳ６〜Ｓ８およびステップＳ９〜Ｓ１３における処理と同じである。
【００２７】
マイクロフォン１１から信号を入力し、周囲音量レベルを演算すると（ステップＳ３，Ｓ４）、ステップＳ４において、制御部１３は、周囲音量のレベルと設定閾値との比較演算処理を行う（ステップＳ５０）。図５は、第２の実施形態の携帯電話機で用いられる設定閾値の一例を示す説明図である。図５に示された設定閾値は、ヒステリシスを持たせた判定方式における閾値Ａおよび閾値Ｂである。第２の実施形態の携帯電話機では、周囲音量が小さい状況から大きい状況へ移行する場合の判定において閾値Ａを使用し、周囲音量が大きい状況から小さい状況へ移行する場合の判定において閾値Ｂを使用する。
【００２８】
ステップＳ５０の処理において、制御部１３は、周囲音量レベルが所定時間継続して閾値Ａを越えたか否か確認する（ステップＳ５ａ）。周囲音量レベルが所定時間継続して閾値Ａを越えた場合には、制御部１３は、周囲音量が大きいと判定して無線部２０の電源をＯＮにする（ステップＳ９）。なお、ステップＳ５ａ，Ｓ９の処理によって、制御部１３は、着信音の出力が禁止されている状態で、周囲音量レベルが閾値Ｂよりも大きい値である閾値Ａを越えている期間が所定時間継続したと判定した場合に、スピーカ１４からの着信音の出力を許可する状態にすることになる。
【００２９】
周囲音量レベルが閾値Ａを越えている期間が所定時間に達しない場合には、制御部１３は、周囲音量レベルが所定時間継続して閾値Ｂ以下であるか否かを確認する（ステップＳ５ｂ）。周囲音量レベルが所定時間継続して閾値Ｂ以下である場合には、制御部１３は、周囲音量が小さいと判定して無線部２０の電源をＯＦＦにする（ステップＳ６）。
【００３０】
ステップＳ６ｂにおいて、周囲音量レベルが閾値Ｂ以下である期間が所定時間に達しない場合には、制御部１３は、無線部２０の電源のＯＮ／ＯＦＦの状態を維持する。
【００３１】
なお、第１の実施形態と同じく、ステップＳ５ａおよびＳ５ｂにおいて制御部１３が「周囲音量レベルが所定時間継続して閾値以下であるか否か」を確認する処理は、「所定のタイミング毎に入力された周囲音量レベルが所定回連続して閾値以下であるか否か」を確認する処理としてもよい。
【００３２】
このような携帯電話機では、ヒステリシスを持たせた判定方式で通信可否の判定を行うことで、周囲音量が閾値付近であるときに無線部の電源状態のばたつきが発生することを抑えることができる。
【００３３】
図６は、本発明による携帯電話機の主要部を示すブロック図である。図６に示すように、携帯電話機１０は、着信時に着信音を出力する着信音出力手段１（例えば、図１に示すスピーカ１４）と、着信検出回路および無線回路を含む無線通信手段２（例えば、図１に示す無線部２０に相当）とを備え、周囲音を入力して周囲音に応じた信号を出力する音入力手段（例えば、図１に示すマイクロフォン１１に相当）３と、音入力手段３が出力する信号にもとづく周囲音量レベルと所定の閾値とを比較する比較手段４（例えば、図１に示す制御部１３に相当）と、周囲音量レベルが所定時間継続して閾値以下であると比較手段４が判定した場合に、着信があっても着信音出力手段１からの着信音の出力を禁止する状態にする着信音制御手段５（例えば、図１に示す制御部１３に相当）とを備えている。
【００３４】
また、上記の各実施形態には、以下の（１）〜（４）に示すような携帯電話機も開示されている。
【００３５】
（１）着信音制御手段が、無線通信手段に対して電力が供給されない状態にすることによって着信音出力手段からの着信音の出力を禁止する状態にし、無線通信手段に対して電力が供給される状態にすることによって着信音出力手段からの着信音の出力を許可する状態にする携帯電話機。
【００３６】
（２）比較手段が、間欠的に周囲音量レベルと所定の閾値とを比較し、着信音制御手段が、周囲音量レベルが所定回継続して閾値以下である場合に、周囲音量レベルが所定時間継続して閾値以下であるとみなす携帯電話機。
【００３７】
（３）着信音制御手段が、周囲音量レベルが所定時間継続して第一閾値（例えば、図５に示す閾値Ｂに相当）以下であると比較手段が判定した場合に、着信音出力手段からの着信音の出力を禁止する状態にし（図４に示すステップＳ５ｂ，Ｓ６参照）、着信音出力手段からの着信音の出力が禁止されている状態で、周囲音量レベルが第一閾値よりも大きい値である第二閾値（例えば、図５に示す閾値Ａに相当）を越えている期間が所定時間継続したと判定した場合に、着信音出力手段からの着信音の出力を許可する状態にする（図４に示すステップＳ５ａ，Ｓ９参照）携帯電話機。
【００３８】
（４）着信音出力手段からの着信音の出力を禁止する状態から着信音出力手段からの着信音の出力を許可する状態に変化したときに、電話および電子メールの着信履歴があったか否かを留守番電話センタに問い合わせる問い合わせ信号を無線通信手段に送信させる（図３に示すステップＳ１０，Ｓ１１参照）問い合わせ制御手段（例えば、図１に示す制御部１３に相当）を備えた携帯電話機。
【符号の説明】
【００３９】
１      着信音出力手段
２      無線通信手段
３      音入力手段
４      比較手段
５      着信音制御手段
１０    携帯電話機
１１    マイクロフォン
１２    レシーバ
１３    制御部
１４    スピーカ
１５    キー操作部
１６    メモリ部
１７    ＬＥＤ部
１８    表示部（ＬＣＤ）
１９    アンテナ
２０    無線部
１００  携帯電話機
【図１】
2010200128.tif 000003
【図２】
2010200128.tif 000004
【図３】
2010200128.tif 000005
【図４】
2010200128.tif 000006
【図５】
2010200128.tif 000007
【図６】
2010200128.tif 000008